(57)【特許請求の範囲】
【請求項１】
筒形の外ハウジングと内ハウジングとの２重ハウジング構造をなし、該外ハウジングと内ハウジングとの間に流路を形成する混合水栓において、
前記外ハウジングには、該外ハウジングの筒壁を貫通する外ハウジング側通水開口を設ける一方、前記内ハウジングには、該外ハウジング側通水開口に対して径方向に対向する位置に、該内ハウジングの筒壁を貫通する内ハウジング側通水開口を設けて、それら外ハウジング側通水開口と内ハウジング側通水開口とを接続部材にて水密に接続するとともに、該接続部材にて該内ハウジングを該外ハウジングに固定し、
該内ハウジングには、前記内ハウジング側通水開口の側から前記接続部材の軸端の開口を通じて該接続部材の内部に突出し、該接続部材の内面に対して前記内ハウジングの軸方向に対向する、該内ハウジングの抜止用の掛止突起を設けたことを特徴とする混合水栓。
【請求項２】
請求項１において、前記掛止突起が、前記内ハウジング側通水開口を横切る状態に設けたリブ状のブリッジ部に設けてあることを特徴とする混合水栓。
【請求項３】
請求項１，２の何れかにおいて、前記外ハウジング側通水開口及び内ハウジング側通水開口が、前記外ハウジング及び内ハウジングのそれぞれの軸方向中間部に設けられた、混合水を流出させる流出用開口であることを特徴とする混合水栓。
【請求項４】
請求項１〜３の何れかにおいて、前記外ハウジングの軸方向の端部側には、前記外ハウジング側通水開口としての水又は湯の流入用開口及び該流入用開口から外部に突出する筒形の流入口部が設けてあり、該流入口部の内部に、前記内ハウジングの抜止用の掛止突起を有する抜止部材が挿入してある一方、該内ハウジングには、筒壁の外面から該抜止部材に設けられた該掛止突起の側に突出し、該抜止部材に設けられた該掛止突起に対して内ハウジングの抜け方向に対向し該抜止部材に設けられた該掛止突起を掛止させる被掛止部が設けてあることを特徴とする混合水栓。
【発明の詳細な説明】
【技術分野】
【０００１】
この発明は混合水栓に関し、詳しくは筒形の外ハウジングと内ハウジングとの２重ハウジング構造をなして、それらの間に流路を形成する混合水栓に関する。
【背景技術】
【０００２】
従来において、湯水混合水栓は水栓の本体ボデーをなすハウジングを金属の鋳物にて一体に構成し、その内壁面に水側，湯側の１次側流路や２次側の混合水の流路等を形成する流路壁を一体に設け、そしてその内部に、湯水の混合比率を変化させて混合水の温度調節を行う混合弁ユニットや、流路切替えをなす切替弁ユニット等を納めた構造のものが一般的であった。
【０００３】
しかしながらこの湯水混合水栓の場合、金属製のハウジングを製造する際に複雑な構造の流路壁を内壁面に一体に設けなければならず、製造の工程数が多くなり、また技術的にも多くの困難を伴うといった問題がある。
【０００４】
このような事情の下で、水栓のハウジングを筒形の外ハウジングと内ハウジングとの２重ハウジング構造となして、それらハウジング間に１次側流路としての水側流路，湯側流路を形成し、更に２次側流路として混合水の流出流路をシール部材の配置パターンによって形成するようになした混合水栓が下記特許文献１に提案されている。
【０００５】
この特許文献１に開示のものでは、内ハウジングの筒壁外面に複数のシール保持部を所定パターンで突出形成して、そこにＯリング等の弾性シール部材を装着して保持させ、そしてそれらシール部材を、内ハウジングの筒壁の外面と外ハウジングの筒壁の内面とでハウジング径方向に挟み込むことで、シール部材の配置パターンにて画定される流路を内ハウジングと外ハウジングとの間に形成するようにしている。
【０００６】
しかしながらこの場合、内ハウジングが外ハウジングとともにシール部材をそれらの径方向に挟み込んでシールを行うことから、内ハウジングの形状、特に太さに大きな制約が生じるとともに、突出形状のシール保持部を部分的に厚肉の偏肉部として形成しておかなければならないといった問題がある。
【０００７】
また内ハウジングの筒壁の外面と外ハウジングの筒壁の内面とでシール部材を径方向に挟む関係上、シール部材が必然的に長く、大きくなってしまい、シール部材をハウジングの径方向に弾性圧縮変形させる状態に外ハウジングと内ハウジングとを組み付ける際の組付性が悪く、更に内ハウジングを外ハウジングに軸方向に挿入して組付けを行うに際してシール部材を噛み込んでしまう恐れがある。
また場合によって、シール部材の噛込みを防ぐためにシール部材を冷凍した上で組み付けることが必要であるなどの問題がある。
【０００８】
そこで内ハウジングの筒壁の外面と外ハウジングの筒壁の内面との間の空間を、それらの間に挟み込んだシール部材により１次側流路としての水側流路及び湯側流路、更に２次側流路としての混合水の流出流路等の複数の流路に区画するといったことをせずに、内ハウジングと外ハウジングとの間の空間を単一の流路とするとともに、外ハウジングには、その筒壁を貫通する外ハウジング側通水開口を設ける一方、内ハウジングには、外ハウジング側通水開口に対して径方向に対向する位置に、内ハウジングの筒壁を貫通する内ハウジング側通水開口を設けて、それら外ハウジング側通水開口と内ハウジング側通水開口とを接続部材にて水密に接続して、その接続部材の内部に、上記外ハウジングの筒壁と内ハウジングの筒壁との間の流路とは隔絶された流路を形成するといったことが考えられる。
【０００９】
このようにすれば、接続部材を、外ハウジングに対する内ハウジングの固定部材を兼ねて構成することができるとともに、外ハウジングの筒壁と内ハウジングの筒壁との間に複数の流路を区画形成するためのシール部材を設けたりしなくても、所要の複数の流路を形成することが可能となる。
【００１０】
但し外ハウジングと内ハウジングとの固定を接続部材だけで行うようにすると、外ハウジングと内ハウジングとの固定個所が接続部材を配置した個所だけとなってしまい、内ハウジングを樹脂等の金属に対して強度的に弱い材料で形成した場合、水圧の作用による内ハウジングの万一の破断の際に、内ハウジング及びそれに付属する部品が勢いよく飛び出すのを防ぐために、内ハウジングを外ハウジングに対し抜止めを図っておく必要がある。
【先行技術文献】
【特許文献】
【００１１】
【特許文献１】特許第２６９５３６４号公報
【発明の概要】
【発明が解決しようとする課題】
【００１２】
本発明は以上のような事情を背景とし、筒形の接続部材にて内ハウジング側通水開口と外ハウジング側通水開口とを接続するとともに、内ハウジングをその接続部材にて外ハウジングに固定する場合において、水圧等の作用により通水用開口の存在している部分で万一内ハウジングが破断することがあったとしても、内ハウジングが外ハウジングから軸方向に抜け、離脱してしまうのを確実に防止することのできる２重ハウジング構造の混合水栓を提供することを目的としてなされたものである。
【課題を解決するための手段】
【００１３】
而して請求項１のものは、筒形の外ハウジングと内ハウジングとの２重ハウジング構造をなし、該外ハウジングと内ハウジングとの間に流路を形成する混合水栓において、前記外ハウジングには、該外ハウジングの筒壁を貫通する外ハウジング側通水開口を設ける一方、前記内ハウジングには、該外ハウジング側通水開口に対して径方向に対向する位置に、該内ハウジングの筒壁を貫通する内ハウジング側通水開口を設けて、それら外ハウジング側通水開口と内ハウジング側通水開口とを接続部材にて水密に接続するとともに、該接続部材にて該内ハウジングを該外ハウジングに固定し、該内ハウジングには、前記内ハウジング側通水開口の側から前記接続部材の軸端の開口を通じて該接続部材の内部に突出し、該接続部材の内面に対して前記内ハウジングの軸方向に対向する、該内ハウジングの抜止用の掛止突起を設けたことを特徴とする。
【００１４】
請求項２のものは、請求項１において、前記掛止突起が、前記内ハウジング側通水開口を横切る状態に設けたリブ状のブリッジ部に設けてあることを特徴とする。
【００１５】
請求項３のものは、請求項１，２の何れかにおいて、前記外ハウジング側通水開口及び内ハウジング側通水開口が、前記外ハウジング及び内ハウジングのそれぞれの軸方向中間部に設けられた、混合水を流出させる流出用開口であることを特徴とする。
【００１６】
請求項４のものは、請求項１〜３の何れかにおいて、前記外ハウジングの軸方向の端部側には、前記外ハウジング側通水開口としての水又は湯の流入用開口及び該流入用開口から外部に突出する筒形の流入口部が設けてあり、該流入口部の内部に、前記内ハウジングの抜止用の掛止突起を有する抜止部材が挿入してある一方、該内ハウジングには、筒壁の外面から該抜止部材に設けられた該掛止突起の側に突出し、該抜止部材に設けられた該掛止突起に対して内ハウジングの抜け方向に対向し該抜止部材に設けられた該掛止突起を掛止させる被掛止部が設けてあることを特徴とする。
【発明の作用・効果】
【００１７】
以上のように本発明は、内ハウジングに、内ハウジング側通水開口の側から接続部材の軸端の開口を通じてその内部に突出し、接続部材の内面に対して内ハウジングの軸方向に対向する、内ハウジングの抜止用の掛止突起を設けたものである。
【００１８】
本発明によれば、内ハウジングを金属に対して強度的に弱い樹脂等で形成した場合において、万一内ハウジングが通水用開口の部分で軸方向に破断を生じることがあっても、接続部材に対する掛止突起の掛止作用で破断した内ハウジングが外ハウジングから軸方向に抜け、離脱するといったことを防止することができる。
【００１９】
この場合において上記の掛止突起を、内ハウジング側通水開口を横切る状態に設けたリブ状のブリッジ部に設けておくことができる（請求項２）。
【００２０】
本発明では、外ハウジング及び内ハウジングのそれぞれの軸方向中間部に設けられた、混合水を流出させる流出用開口を上記の外ハウジング側通水開口及び内ハウジング側通水開口として、そこに上記の掛止突起を含む内ハウジングの抜止構造を設けておくことができる（請求項３）。
【００２１】
一方請求項４は、外ハウジングの軸方向の端部側に、外ハウジング側通水開口としての水又は湯の流入用開口及びその流入用開口から外部に突出する筒形の流入口部を設けて、その流入口部の内部に、内ハウジングの抜止用の掛止突起を有する抜止部材を挿入し、また一方内ハウジングには筒壁の外面から突出して掛止突起に対し内ハウジングの抜け方向に対向し、掛止突起を掛止させる被掛止部を設けたもので、この請求項４によれば、内ハウジングの軸方向の抜けをより一層確実に防止することが可能となる。
【図面の簡単な説明】
【００２２】
【図１】本発明の一実施形態の混合水栓の斜視図である。
【図２】図１の混合水栓の一部を水平方向で切り欠いて示した部分断面図である。
【図３】図１の混合水栓の垂直方向の断面図である。
【図４】図３の混合弁ユニットを周辺部とともに拡大して示した図である。
【図５】図４の混合弁ユニットの一部を分解して示した図である。
【図６】図４の混合弁ユニットと温調ハンドルとの接続部分を分解して示した図である。
【図７】図３の切替弁ユニットを周辺部とともに拡大して示した図である。
【図８】同実施形態における内ハウジングの図である。
【図９】同実施形態における外ハウジングと内ハウジングとを分解して示した断面図である。
【図１０】同実施形態の外ハウジング側の湯流入用開口と内ハンジングの湯流入用開口との接続部分の分解斜視図である。
【図１１】同実施形態における外ハウジング側の湯流入用開口と内ハウジングの湯流入用開口との接続部分の断面図である。
【図１２】同実施形態におけるスペーサ部材の図である。
【図１３】同実施形態における接続部材の図である。
【図１４】同実施形態における固定クリップの図である。
【図１５】同実施形態の混合水栓の組付手順を示した図である。
【図１６】同実施形態における内ハウジングの要部を拡大して示した斜視図である。
【図１７】同実施形態の混合水栓の組付状態の要部を拡大して示した断面図である。
【図１８】同実施形態の混合水栓の組付状体における図１７とは異なる要部の断面図である。
【発明を実施するための形態】
【００２３】
次に本発明の実施形態を図面に基づいて詳しく説明する。
図１において、１０は本実施形態の壁付きの混合水栓で、図中左右方向に長手形状をなす水栓本体１２を有している。
水栓本体１２の下面からは、先端に吐水口１４を備えた略Ｌ字状をなす吐水管１６が延び出しており、また背面からはシャワー側の流出口部７６が後方に突出して、そこにシャワーエルボ２０が接続されている。
このシャワーエルボ２０には、図示を省略するシャワーヘッドが可撓性のシャワーホースを介して接続される。
【００２４】
水栓本体１２の長手方向の一端側（図中左端側）には、温調ハンドル（温度調節ハンドル）２２が設けられており、また他端側（図中右端側）には、吐水管１６の側とシャワー側とで流路の切替えを行い、且つ吐水の流量調節を行う切替ハンドル２４が設けられている。
ここで切替ハンドル２４は吐水から止水若しくはその逆への切替えも行う。
【００２５】
水栓本体１２からはまた、給水管を兼ねた水側のクランク脚２６、及び給湯管を兼ねた湯側のクランク脚２８がそれぞれ後方に延び出している。
本実施形態の混合水１０は、これら一対のクランク脚２６，２８によって後方の壁に取り付けられている。
【００２６】
図２に示しているように、水栓本体１２は横断面の内面形状が円形をなす略円筒状の金属製の外ハウジング３０を本体ボデーとして有しており、またその内側において、同じく横断面の内面形状が円形をなす樹脂製の略円筒状の内ハウジング３２を有している。
即ちこの実施形態の水栓１０は、水栓本体１２が２重ハウジング構造をなしている。
ここで外ハウジング３０の内面は、図９（Ａ）に示すように基本的に凹凸を有しない平滑な面とされていて、そこには複数の流路を区画形成するための流路壁は突出形成されていない。
【００２７】
またこの実施形態において、外ハウジング３０と内ハウジング３２との間の空間は、軸方向の両端部で弾性を有する環状のシール部材３４でシールされているが、軸方向の中間部ではシール部材によるシールはなされておらず、外ハウジング３０と内ハウジング３２との間に形成される空間は、基本的に軸方向の一端から他端にかけて単一の空間を形成している。
この実施形態では、これら外ハウジング３０と内ハウジング３２との間に形成される空間はその全体が単一の流路、ここでは１次側の水側流路３６を形成している。
【００２８】
外ハウジング３０の背面（図２中上面）且つ図中右端側には、水を外ハウジング３０の内部、つまり外ハウジング３０と内ハウジング３２との間の水側流路３６に流入させる水流入用開口（外ハウジング側通水開口）３８が設けられており、そしてこの水流入用開口３８から、外ハウジング３０に一体に構成された筒形（円筒形）の水流入口部４０が後方（図中上方）に突出していて、この水流入口部４０に対し、給水管を兼ねた水側のクランク脚２６が締結ナット４６にてねじ結合されている。
【００２９】
クランク脚２６を通じて供給された水は、この水流入口部４０，水流入用開口３８を通じて上記の水側流路３６へと流入する。
尚、クランク脚２６と水流入口部４０との接続部の内部には、クランク脚２６から水流入用開口３８に向けての水の流れのみを許容し、逆方向の流れを阻止する、弁体４２を備えた一方向性の逆止弁４４が設けられている。
【００３０】
一方内ハウジング３２の図中左端側の前面（図中下面）には、水側流路３６に流入した水を内ハウジング３２内に流入させる、内ハウジング３２側の水流入用開口（内ハウジング側通水開口）４８が筒壁を貫通して設けられている。
クランク脚２６を通じて供給された水は、外ハウジング３０の内側の水側流路３６に流入した後、この内ハウジング３２側の水流入用開口４８を通じて内ハウジング３２内に流入する。
【００３１】
図中左端側において、内ハウジング３２には背面側（図中上面側）に、湯流入用開口（内ハウジング側通水開口）５０が筒壁を貫通して設けられている。
またこれに対し径方向に対向する位置において、外ハウジング３０には湯流入用開口（外ハウジング側通水開口）５２が設けられて、それらが後に詳述する接続部材５４にて水密に接続されている。
【００３２】
この外ハウジング３０側の湯流入用開口５２からは、円筒形状をなす湯流入口部５５が外ハウジング３０から一体に突出しており、そしてその湯流入口部５５に対し、湯側のクランク脚２８が締結ナット４６にてねじ結合されている。
この湯流入口部５５の側においても、これとクランク脚２８との接続部の内部に、弁体４２を有する逆止弁４４が設けられている。
この湯側の逆止弁４４は、クランク脚２８から湯流入用開口５２に向けての湯の流れのみを許容し、逆方向の流れを阻止する。
【００３３】
而してクランク脚２８から外ハウジング３０の湯流入用開口５２に流入した湯は、接続部材５４による連絡によって、そのまま外ハウジング３０と内ハウジング３２との間の水側流路３６を横切って、内ハウジング３２側の湯流入用開口５０へと到り、更にこれを通過して内ハウジング３２内部へと流入する。
【００３４】
そして内ハウジング３２の内部に流入した水と湯とは、図３に示しているように内ハウジング３２の内部に軸方向に挿入されて組み付けられた混合弁ユニット５６により、温調ハンドル２２の操作により設定された比率で混合されて設定温度の混合水とされ、続いて同じく内ハウジング３２の内部に軸方向に挿入されて組み付けられた切替弁ユニット５８による流路切替えによって、図１の吐水管１６側又はシャワー側へと案内されて、そこから外部に流出せしめられる。
【００３５】
詳しくは、図３及び図７に示しているように内ハウジング３２の軸方向中間部の下面には、内ハウジング３２内の混合水を流出させるための流出用開口（内ハウジング側通水開口）６０と、図８に示すように筒壁の外面から突出して流出用開口６０を取り囲む環状壁から成る連結口部６２が設けられている。
【００３６】
一方外ハウジング３０側には、流出用開口６０及び連結口部６２に対し径方向に対向する位置に、混合水を外部に流出させる流出用開口（外ハウジング側通水開口）６４が設けられおり、そこに流出口部６６を構成する筒形の接続部材２４８が、下部を外ハウジング３０から下向きに突出させる状態に差し込まれ、外ハウジング３０に取り付けられている。
そしてこの外ハウジング３０とは別体をなす筒形の接続部材２４８によって、内ハウジング３２側の流出用開口６０と、外ハウジング３０側の流出用開口６４とが水密に接続されている。
尚、接続部材２４８と内ハウジング３２側の流出用開口６０及び外ハウジング３０側の流出用開口６４とは、接続部材２４８の軸心周りに配置されたＯリングから成る環状のシール部材を介して水密シール状態に結合されている。
流出口部６６は、外ハウジング３０から下向きに突出しており、そしてその突出した部分に対して、図１に示す吐水管１６が締結ナット６８により回転可能にねじ結合されている。
【００３７】
内ハウジング３２にはまた、軸方向のほぼ同じ位置において、図２に示しているようにシャワー側の混合水の流出用開口（内ハウジング側通水開口）７０が、筒壁を貫通して設けられており、更に内ハウジング３２には、図２及び図７に示すように筒壁の外面から環状に突出して流出用開口７０を取り囲む環状壁から成る連結口部７２が設けられている。
【００３８】
更にこれら流出用開口７０及び連結口部７２に対し径方向に対向する位置において、外ハウジング３０には対応する流出用開口（外ハウジング側通水開口）７４が設けられており、そして内ハウジング３２側の流出用開口７０と、外ハウジング３０側の流出用開口７４とが、流出口部７６を構成する、外ハウジング３０とは別体の筒形の接続部材２５０にて水密に接続されている。
ここで接続部材２５０は、その後部（図２中上部）を外ハウジング３０から突出させる状態に、流出用開口７４に差し込まれ、外ハウジング３０にねじ結合にて取り付けられている。
尚流出用開口６４に差し込まれ、外ハウジング３０にねじ結合されて取り付けられている点では図３及び図７の上記の流出口部６６を構成する接続部材２４８も同様である。
【００３９】
接続部材２５０は、流出用開口７４に対してＯリングから成る弾性を有する環状のシール部材を介し水密に内嵌状態に嵌合（結合）しており、また先端部が流出用開口７０に対し、具体的にはこれを取り囲む連結口部７２に対し、Ｏリングから成る弾性を有する環状のシール部材を介し水密に内嵌状態に嵌合（結合）している。
このシャワー側の接続部材２５０には、シャワーエルボ２０が嵌入口部８０をシール部材を介して水密に嵌入させる状態にねじ結合されている。
【００４０】
この実施形態において、上記吐水管１６側の外ハウジング３０の流出用開口６４及びシャワー側の流出用開口７４は、何れも外観上目立ち難い水栓本体１２の下面と背面に位置していることから、ここでは接続部材２４８及び２５０として、一部が外部に突出して流出口部６６，７６を構成するものが用いられている。
【００４１】
図３，図４の混合弁ユニット５６から図７の切替弁ユニット５８に到った混合水は、切替弁ユニット５８の流路切替作用により、内ハウジング３２側の流出用開口６０から流出口部６６内へと流出して流出口部６６の内部流路を流通した後、吐水口１６から外部に流出するか、又は同じく内ハウジング３２側の流出開口７０から流出口部７６内へと到って、その内部流路を通じた後シャワーエルボ２０を経てシャワーヘッドへと送られ、そこから外部へと流出（吐水）せしめられる。
【００４２】
内ハウジング３２に設けた上記の湯流入用開口５０は、図８及び図１０に示しているように平面展開形状が周方向に長い矩形状をなしている。即ち全体として周方向に長い大きな開口をなしており、その周方向長は、後述する円筒形状の接続部材５４の内径よりも大きなものとされている。
【００４３】
但し、湯流入用開口５０の位置で接続部材５４の先端を内ハウジング３２の筒壁の外面に直接当てるようにすると、湯流入用開口５０の有効な流路面積が、接続部材５４の先端で囲まれた内側の部分の面積だけとなり、必然的に湯流入用開口５０の有効面積が小さいものとなって、十分な流量を確保することが難しい。
そこでこの実施形態では、湯流入用開口５０を大きな開口となした上で、接続部材５４を次のようにして湯流入用開口５０に接続するようになしている。
【００４４】
即ちこの実施形態では、内ハウジング３２の筒壁の外面から環状（平面視矩形状）に突出して、湯流入用開口５０を取り囲む環状壁を設けて、これを連結口部８２と成し、そして接続部材５４の内ハウジング３２側の端部をこの連結口部８２に対して、リング状のスペーサ部材８４を介して内嵌させるようにしている。そしてこのようにすることで、接続部材５４の内ハウジング３２側の端部及びスペーサ部材８４と、内ハウジング３２の筒壁外面との間にスペース形成するようになしている。
【００４５】
詳しくは、図１１に示しているように連結口部８２には周方向両端の付根位置に段付部８６を設けて、そこにリング状のスペーサ部材８４を当接させる状態に、スペーサ部材８４を連結口部８２に対して内嵌状態に嵌合させ、更にそのスペーサ部材８４に対し、円筒形状をなす接続部材５４の先端部を同じく内嵌状態に嵌合させることにより、それら接続部材５４及びスペーサ部材８４と内ハウジング３２の筒壁外面との間にスペース形成する状態に、接続部材５４を組み付け、以て内ハウジング側通水開口としての湯流入用開口５０と外ハウジング側通水開口としての湯流入用開口５２とを、スペーサ部材８４及び連結口部８２を介して接続部材５４にて水密に接続するようになしている。
尚、周方向長の長い上記の湯流入用開口５０は、図１１に示しているように連結口部８２に到るまで周方向に延びている。
【００４６】
上記リング状をなすスペーサ部材８４は、図１２（Ａ）に示しているように平面視形状が４角形状で、円形の嵌合孔９９を有しており、また図１２（Ｂ）に示しているように側面視における下面形状が図中上向きに凹の湾曲形状をなしている。
更に外周面には環状溝８８を有していて、そこに弾性を有するＯリングから成るシール部材９０を保持している。
スペーサ部材８４は、その外面（外周面）をこのシール部材９０を介して連結口部８２の内面（内周面）に水密に嵌合させている。
【００４７】
一方円筒形状をなす接続部材５４は、図１３に示しているように軸方向の各端部の外面（外周面）に環状溝９２，９４を有していて、それら環状溝９２，９４においてＯリングから成るシール部材９６，９８を保持している。
【００４８】
接続部材５４は、Ｏリング９６を介して軸方向の端部（図１１中下端部）を、スペーサ部材８４の内面に嵌合状態に水密結合し、またＯリング９８を介しその外面を、外ハウジング３０側通水開口である湯流入用開口５２の内面に嵌合状態に水密結合し、以て外ハウジング３０側の湯流入用開口５２と、内ハウジング３２側の湯流入用開口５０とをスペーサ部材８４，連結口部８２を介して水密接続している。
【００４９】
即ち外ハウジング３０と内ハウジング３２との間に形成される水側流路３６を横切る状態に、湯流入用開口５２と５０とを連絡してその内部に、クランク脚２８から送られて来た湯を内ハウジング３２内に流入させるための、独立した１次側流路としての湯側流路を形成している。
【００５０】
図１１において、１００は接続部材５４を抜止状態に固定する固定クリップ（固定部材）で、図１４に示しているように全体としてＣリング状をなしていて、径方向に弾性変形能を有している。
図１１に示しているように、この実施形態ではクランク脚２８からの湯を流入させる筒状の湯流入口部５５が外ハウジング３０に一体に構成されており、上記の接続部材５４は、この湯流入口部５５の開口部からその内部に差し込まれて内ハウジング３２側の湯流入用開口５０、具体的には連結口部８２と外ハウジング３０側の湯流入用開口５２とを水密接続している。
【００５１】
而して湯流入口部５５の内面には、環状の嵌込凹部１０２が設けられており、そこに固定クリップ１００を縮径状態で挿入した後これを拡径して嵌込凹部１０２に嵌め込むことで、固定クリップ１００の接続部材５４に対する当接作用により、接続部材５４が図中上向きに抜け防止されている。
【００５２】
このとき固定クリップ１００は、軸方向の一方の端面（図中下端面）を接続部材５４の軸方向端面に当接させ、また逆方向の端面を、嵌込凹部１０２の当接面２５２に当接させた状態となり、その当接作用によって接続部材５４を図中上下方向に位置決状態に固定する。
【００５３】
尚この実施形態においては、スペーサ部材８４の内面，流入用開口５２の内面及び嵌込凹部１０２の全体を１つの挿入穴として、そこに接続部材５４と固定クリップ１００とを内嵌状態に挿入し、そしてその挿入穴において、接続部材５４と固定クリップ１００とを軸方向に隣接して位置させ、以て固定クリップ１０２で接続部材５４を抜け防止した構造とみることができる。
【００５４】
尚図１４に示しているように、固定クリップ１００には周方向両端部且つ径方向内方への突出部に、径方向内方に凹陥した形態の凹部１０６が設けられている。
この凹部１０６は治具を係合させるための部分であって、この固定クリップ１００は、凹部１０６に治具を係合させて縮径させることで、湯流入口部５５から取出可能である。
尚接続部材５４は、これを図１１中下向きに押し込むと先端が内ハウジング３２の筒壁の外面に当接し、そこで押込量が規定される。
【００５５】
図１５及び図１０は、図１１におけるスペーサ部材８４，接続部材５４及び固定クリップ１００等の組付けの手順を示している。
図に示しているように、ここでは先ず内ハウジング３２を外ハウジング３０に挿入する前において、連結口部８２にスペーサ部材８４を内嵌状態に装着してそこに保持させておく。
そしてその状態で、図１０（Ａ）に示しているように内ハウジング３２を外ハウジング３０の内部に軸方向（図１０中右方向，図７及び図３中左方向）に挿入する。図１５（III）はこのときの状態を表している。
【００５６】
その後、図１０（Ａ）に示しているように先ず接続部材５４を外ハウジング３０における湯流入口部５５の内部に差し込み、しかる後、固定クリップ１００を縮径変形させた状態で同じく湯流入口部５５内部に押し込み、これを湯流入口部５５内部の嵌込凹部１０２に嵌め込む。
このとき固定クリップ１００は蓄えられていた弾性力で拡径して嵌込凹部１０２に嵌り込み、接続部材５４の図中上向きの抜けを防止する。
即ち接続部材５４をその軸方向に固定状態とする。
【００５７】
本実施形態においては、図２及び図１１における接続部材５４によって、外ハウジング３０の湯流入用開口５２と連結口部８２、つまり内ハウジング３２の湯流入用開口５０が接続されることで、また図７に示す内ハウジング３２側の混合水の流出用開口６０と外ハウジング３０側の流出用開口６４とが、接続部材を兼ねた流出口部６６にて接続されることで、更には図２に示すように混合水を流出させる内ハウジング３２側の流出用開口７０と外ハウジング３０の流出用開口７４とが、接続部材を兼ねた流出口部７６にて接続されることで、外ハウジング３０と内ハウジング３２とが固定状態とされる。
【００５８】
図３における上記の混合弁ユニット５６が、周辺部とともに図４に拡大して詳しく示してあり、また切替弁ユニット５８が周辺部とともに図７に拡大して詳しく示してある。
本実施形態の混合弁ユニット５６はサーモスタット式（自動温度調節機能付）のもので、弁ケース１１２を有しており、その弁ケース１１２ごと、上記の内ハウジング３２の内部に軸方向に挿入されて組み付けられている。
【００５９】
図４において、１１０は段付きの円筒形状をなす固定ナットで、内ハウジング３２内部に挿入された混合弁ユニット５６は、この固定ナット１１０を内ハウジング３２の端部にねじ結合することで、内ハウジング３２から抜止めされ、内ハウジング３２内部に固定される。
【００６０】
弁ケース１１２には、軸方向に互いに離隔した位置に水流入口１１６，湯流入口１１８が形成されており、これら水流入口１１６，湯流入口１１８を通じて水，湯が弁ケース１１２内部に流入する。
流入した水と湯とは混合室１２０で混合された後、その混合水が流出口１２２から図中右向きに流出する。
【００６１】
１２４，１２６はそれぞれ水流入口１１６，湯流入口１１８から流入する水，湯の流入量を調節する水側弁部，湯側弁部で、水流入口１１６，湯流入口１１８からの水と湯の流入量は、それぞれ水側弁部１２４，湯側弁部１２６の弁開度に応じて大小変化する。即ち混合室１２０での水と湯との混合比率が変化し、混合水温度が高低変化する。
【００６２】
弁ケース１１２の内部には、弁体ユニット１２８が図中左右方向（軸方向）に移動可能に設けられている。
この弁体ユニット１２８は、軸方向に離隔して設けられた水側弁体１３０と湯側弁体１３２、及びそれらを軸方向に連繋する連繋部１３４を有している。
【００６３】
ここで水側弁体１３０及び湯側弁体１３２はそれぞれ円筒形状（環状）をなしており、それぞれの外周面の軸方向中間位置に断面Ｕ字形状をなすシール部材１３６，１３８が保持されていて、それらシール部材１３６，１３８により水側弁体１３０及び湯側弁体１３２と弁ケース１１２との間が水密にシールされている。
【００６４】
連繋部１３４は湯側弁体１３２と一体に構成されている。
この連繋部１３４は、図５にも示しているように湯側弁体１３２の内側位置において十字状をなすように中心部から放射状に延びる複数（ここでは４つ）の補強板１４０と、この補強板１４０から軸方向且つ図中右方向に突き出した円筒部１４２とを一体に有している。
ここで補強板１４０は湯側弁体１３２を内側から補強する働きをなすもので、板面が軸方向に延びており、そして外周端が湯側弁体１３２に一体化されている。
この実施形態では、水流入口１１６，湯流入口１１８から流入した水と湯とが図中右向きに流れて混合室１２０に到り、そこで水と湯とが混合される。
【００６５】
混合室１２０には、形状記憶合金製のコイル形状の感温ばね（付勢部材）１４４が収容されており、その付勢力を軸方向の押圧力として弁体ユニット１２８に対し図中左向きに、即ち湯側弁体１３２を閉弁させ、水側弁体１３０を開弁させる方向に及ぼしている。
この形状記憶合金製の感温ばね１４４は混合室１２０内部の混合水温度に応じて伸縮し、混合水温度が設定温度となるように図中左向きの付勢力を変化させて、弁体ユニット１２８の位置を自動的に微調節する。
【００６６】
１４６は混合室１２０を形成するとともに感温ばね１４４の一端を当接させるばね受で、図中左端に外向きの係合爪１４８を有し、その係合爪１４８を弁ケース１１２の係合孔１５０に係合させることで、弁ケース１１２に組み付けられている。
【００６７】
上記水側弁体１３０は、湯側弁体１３２及び連繋部１３４とは別体に構成されている。
この水側弁体１３０には、図５にも明らかに示しているように内側が段付形状をなす円筒形状の嵌合部１５２が形成されており、その嵌合部１５２が、段付部１５４を円筒部１４２の先端面に当接させる状態に、円筒部１４２に外嵌状態に嵌合され組み付けられている。
詳しくは、円筒部１４２の内側には雌ねじ部１５６が形成されていて、そこに後述の弁軸２０６の先端部に形成された雄ねじ部１５８がねじ込まれている。
【００６８】
この弁軸２０６には押え部材としての止め輪１６０が装着されており、弁軸２０６の雄ねじ部１５８が円筒部１４２の内側の雌ねじ部１５６にねじ込まれることで、水側弁体１３０が止め輪１６０にて円筒部１４２に図中右向きに押し付けられ、連繋部１３４に組付固定されている。
【００６９】
図４に示しているように弁ケース１１２には、水側弁体１３０，湯側弁体１３２のそれぞれの軸方向の内側位置に、水側弁部１２４における水側弁座１６４，湯側弁部１２６における湯側弁座１６６が設けられており、それらに対し水側弁体１３０，湯側弁体１３２が軸方向に当接するようになっている。
詳しくは水側弁座１６４，湯側弁座１６６におけるそれぞれの弁座面１６８，１７０に対して水側弁体１３０，湯側弁体１３２が当接するようになっている。
【００７０】
この実施形態において、弁体ユニット１２８は通常の金属製のコイルばねから成るバイアスばね（付勢部材）１７２にて図中右向き、即ち湯側弁体１３２を開弁させ、水側弁体１３０を閉弁させる方向に付勢（押圧）されており、また混合室１２０内に設けられた感温ばね１４４にてこれとは逆方向の図中左向き、即ち湯側弁体１３２を閉弁させ、水側弁体１３０を開弁させる方向に付勢されている。
弁体ユニット１２８は、感温ばね１４４による図中左向きの付勢力と、バイアスばね１７２による図中右向きの付勢力とが釣合う位置に保持される。
【００７１】
図４に示しているように、弁ケース１１２には回転操作軸１７４が組み付けられている。
この回転操作軸１７４は、弁体ユニット１２８を弁ケース１１２の内部で軸方向、即ち図中左右方向に移動させて混合水温度を設定操作するためのもので、嵌合軸部１７６と、ハンドル連結部１７８とを有しており、その嵌合軸部１７６が弁ケース１１２の嵌合孔１８０に回転可能に内嵌されている。
ここで嵌合軸部１７６と弁ケース１１２の嵌合孔１８０との間はＯリング１８２にて水密にシールされている。
また弁ケース１１２から軸方向の左方に突き出したハンドル連結部１７８には、セレーション部１８４において温調ハンドル２２が一体回転状態に連結されるようになっている。
【００７２】
回転操作軸１７４は、弁ケース１１２の内部において大径の円筒部１８５を有しており、その円筒部１８５の図中左端の肩部と、回転操作軸１７４に装着された径方向に弾性を有する止め輪１８６にて、弁ケース１１２に軸方向に固定されている。
この円筒部１８５の内周面には雌ねじ部１８８が形成され、そこに円筒形状をなす駆動部材１９０が、外周面の雄ねじ部１９２において螺合されている。
この駆動部材１９０は、回転操作軸１７４の回転操作によってねじ送りで軸方向即ち図中左右方向に進退移動させられる。
【００７３】
この駆動部材１９０と弁体ユニット１２８との間には、ストッパリング１９４，ばね受１９６を介して通常の金属製のコイルばねからなる上記のバイアスばね１７２が介在させられており、バイアスばね１７２の図中右向きの付勢力が弁体ユニット１２８に対し図中右向きに及ぼされている。
尚、ばね受１９６には図中右端と左端とに内向きのフランジ部１９８，２００が設けられている。
【００７４】
一方、駆動部材１９０の図中右端には外向きのフランジ部２０２が設けられ、この外向きのフランジ部２０２が、一対のフランジ部１９８，２００の間においてばね受１９６内部を図中左右方向に相対移動可能とされている。
また駆動部材１９０には、内向きに突出した段付部２０４が図中左端に設けられていて、そこにストッパリング１９４が図中右向きに当接させられている。
【００７５】
上記のように弁体ユニット１２８からは図中左向きに弁軸２０６が延び出している。
弁軸２０６の左端側はストッパリング１９４を貫通して図中左向きに突出しており、その突出した端部に、ストッパリング１９４の内径よりも大径の頭部２０８が設けられている。
この頭部２０８には、弁軸２０６における上記の雄ねじ部１５８を連繋部１３４の雌ねじ部１５６にねじ込む際に工具掛け部となる係合溝が形成されている。
【００７６】
この実施形態では、回転操作軸１７４を正方向に回転操作すると、駆動部材１９０がねじ送り作用で図中右向きに前進させられ、これによりストッパリング１９４を介してバイアスばね１７２が圧縮せしめられ、弁体ユニット１２８に対する図中右向きの付勢力を増大させる。
また回転操作軸１７４を逆方向に回転操作すると、駆動部材１９０が図中左向きに後退移動させられて、バイアスばね１７２が延びる方向に変位し、弁体ユニット２８に対する図中右向きの付勢力を弱くする。
【００７７】
この例の混合弁ユニット５６では、このようにして回転操作軸１７４を正方向又は逆方向に回転操作することで、弁体ユニット１２８に対するバイアスばね１７２の図中右向きの付勢力と、感温ばね１４４の図中左向きの付勢力との釣合位置が図中左右方向に変化し、これに伴って弁体ユニット１２８が図中左右方向にシフトせしめられる。即ち混合弁ユニット５６における混合水の温度が設定ないし設定変更される。
【００７８】
この混合弁ユニット５６では、弁体ユニット１２８が図中右向きに一杯まで移動して水側弁体１３０が水側弁座１６４の弁座面１６８に当接することで水流入口１１６が全閉、湯流入口１１８が全開となり、弁体ユニット１２８が逆方向に一杯まで移動して湯側弁体１３２が湯側弁座１６６の弁座面１７０に当接することで湯流入口１１８が全閉、水流入口１１６が全開状態となる。
またそれらの中間位置において水流入口１１６及び湯流入口１１８を開き、且つその開度を感温ばね１４４の温度感知に基づいて自動的に変化させ、水，湯の流入量を変化させて混合水温度を自動的に設定温度に調節する。
【００７９】
図６は、上記の混合弁ユニット５６と温調ハンドル２２との組付構造を示している。
図示のように温調ハンドル２２には、内周面に雌セレーション部を有するセレーション部材２１２が一体回転状態に装着されており、このセレーション部材２１２が、混合弁ユニット５６における上記のセレーション部１８４、詳しくは雄セレーション部にセレーション結合されることで、温調ハンドル２２が混合弁ユニット５６における回転操作軸１７４に一体回転状態に連結されている。
【００８０】
２１４は、温調ハンドル２２に備えられた安全ボタンで、ばね２１６により図中上向きの外向きに突出する側に付勢されている。
この安全ボタン２１４には、後述のストッパ部材２２０におけるストッパ部２２４，２２６に当接する当接部２１８が備えられている。
２２０は、この当接部２１８を当接させることによって温調ハンドル２２の回転規制をなすストッパ部材で、２２２はストッパ部材２２０を内ハウジング３２に取り付けるための取付部材である。
【００８１】
この実施形態では、温調ハンドル２２を高温側に回転させると、あるところで安全ボタン２１４の当接部２１８が、ストッパ部材２２０の第１ストッパ部２２４に当接するに到る。ここにおいて温調ハンドル２２が、より高温側に回転操作されるのが規制される。
【００８２】
この段階で使用者が更に混合水の温度を高温側に設定変更したいときは、安全ボタン２１４をばね２１６の付勢力に抗して図中下向き（内向き）に押すと、当接部２１８と第１ストッパ部２２４との当接が解除され、ここにおいて温調ハンドル２２が更なる高温側に回転操作可能となる。
そしてその状態で一杯まで温調ハンドル２２を高温側に回転操作すると、最終的に第２ストッパ部２２６に対して当接部２１８が当接し、それ以上の回転操作が禁止される。
【００８３】
図７に示すように、本実施形態において切替弁ユニット５８はシリンダ式の弁体ユニットであって、切替ハンドル２４と一体回転する回転操作軸２２８と、回転操作軸２２８に対し同じく一体回転状態に連結されたシリンダ弁体２３０及び弁ケース２３２を備えて構成されている。
【００８４】
弁ケース２３２は、シリンダ弁体２３０に直接嵌合してこれを保持するインナケース２３４と、インナケース２３４の外側のアウタケース２３６とを有しており、そのアウタケース２３６が、内ハウジング３２の内部に軸方向に挿入され、組み付けられている。
【００８５】
弁ケース２３２は、更にアウタケース２３６の回止めをなす回止め部材２３８を有しており、その回止め部材２３８の部分において、固定ナット２４０により内ハウジング３２の端部に回止め状態に固定されている。
シリンダ弁体２３０には、送られて来た混合水を吐水管１６側に流出させる開口２４２と、シャワー側に流出させる開口２４４とが設けられている。
【００８６】
一方弁ケース２３２は、開口２４２に対応する開口２４６と、開口２４４に対応する図示を省略する開口とを備えており、切替ハンドル２４にてシリンダ弁体２３０を回転させ、開口２４２を弁ケース２３２の開口２４６に合致させた状態の下では、混合水を開口２４２，２４６から流出させて、これを内ハウジング３２の流出用開口６０へと流動させる。
流出用開口６０に到った混合水は、先に述べたように吐水管１６へと流れ込んで、先端の吐水口１４から外部に流出（吐水）する。
【００８７】
一方シリンダ弁体２３０の開口２４４を、図示を省略する弁ケース２３２の別の開口に合致させると（このとき開口２４２は開口２４６に対して不一致の状態にあって、開口２４２は閉鎖された状態にある）、開口２４４から流出した混合水が、シャワー側の流出口部７６へと流れ込んでシャワーヘッドへと送られ、そこからシャワー吐水される。
【００８８】
本実施形態において、樹脂製の内ハウジング３２には軸方向の中間部、詳しくは軸方向の略中央部に、混合水を流出させる２つの流出用開口６０，７０が設けられており、従って内ハウジング３２はこれら２つの流出用開口６０，７０が位置する軸方向の略中央部が強度的に弱い部分となる。
【００８９】
そこでこの実施形態では、水圧等により万一内ハウジング３２が軸方向の略中央部で破断するようなことがあっても、破断した一方、ここでは図中右側の略半分が、そこに組み付けられた部品等とともに金属製の外ハウジング３０から図中右方向に抜け出ることがないように抜け防止が図られている。
【００９０】
具体的には図１６，図８及び図９に示しているように、内ハウジング３２には流出用開口６０，７０をそれぞれ横切るようにしてリブ状のブリッジ部２９４が一体に設けられており、そしてそれらブリッジ部２９４のそれぞれに、図１７に示す金属製の筒形の接続部材２４８，２５０の軸端からそれらの内部に突出し、接続部材２４８，２５０の内面、詳しくは内ハウジング３２における軸方向の内面に対向する抜止用の掛止突起２９６がブリッジ部２９４に一体に設けられている。
【００９１】
ここで各掛止突起２９６は図１７に示しているようにブリッジ部２９４の端に寄った位置、詳しくは接続部材２４８，２５０の内面に対して図中右方向に寄った近い位置に設けられている。
またこれら掛止突起２９６は、その側面形状が先端（突出端）からブリッジ部２９４側の付根に向って軸方向の幅が漸次増大する形状となしてある。
【００９２】
この実施形態では、万一内ハウジング３２が軸方向の略中央部、より具体的には流出用開口６０，７０の図中左右方向の略中央部で破断したときには、各掛止突起２９６が接続部材２４８，２５０の内面に対し図１７中右方向に掛止し、そしてその掛止作用によって、内ハウジング３２の破断した図中右側の部分が、外ハウジング３０から軸方向の右方向、つまり外ハウジング３０に対する内ハウジング３２の挿入方向とは反対方向に抜け出るのを有効に防止する。
【００９３】
本実施形態ではまた、図１８に示しているように外ハウジング３０の図中右の端部側で外ハウジング３０の筒壁から突出した水流入口部４０の内部に抜止部材２９８が挿入され、組み付けられている。
【００９４】
抜止部材２９８は、Ｃリング状をなし径方向に弾性を有する本体部３００を有し、この本体部３００から、周方向にほぼ等間隔で設けられた複数（ここでは５個）の掛止突起３０２が、内ハウジング３２に向けて突出している。
図１８（Ａ）に示しているようにこれら複数の掛止突起３０２は、夫々外ハウジング３０の内面よりも内ハウジング３２側に突出している。
尚、水流入口部４０の付根側の内面には嵌込凹部３０４が設けられており、抜止部材２９８は、本体部３００においてこの嵌込凹部３０４に弾性的に嵌め込まれ、保持されている。
【００９５】
抜止部材２９８は、本体部３００を縮径方向に弾性変形させた状態で水流入口部４０の内部に挿入することができる。そして嵌込凹部３０４の位置でこれを拡径させることで嵌込凹部３０４に嵌め込み、固定状態とすることができる。
ここで抜止部材２９８は、本体部３００の周方向の両端部に、治具を係合させて縮径させるための凹部３０６が設けられている。
【００９６】
一方内ハウジング３２には、筒壁の外面から外ハウジング３０側に突出する被掛止部３０８が一体に設けてあり、この被掛止部３０８に対して、抜止部材２９８の掛止突起３０２を軸方向に掛止させるようになっている。
ここでは被掛止部３０８は平面視形状が円弧状をなしている。
【００９７】
抜止部材２９８は、掛止突起３０２が周方向にほぼ等間隔で複数設けてあるため、周方向の向きを特に定めることなくこれを水流入口部４０に挿入し組み付けた場合であっても、少なくとも隣接する２つの掛止突起３０２が、内ハウジング３２側の被掛止部３０８に掛止することができる。
【００９８】
この水流入口部４０の内部に挿入し組み付けた抜止部材２９８は、内ハウジング３２が万一その略中央部で破断した場合に、掛止突起３０２を内ハウジング３２の被掛止部３０８に掛止させることで、内ハウジング３２の破断した右半分が外ハウジング３０から図中右方向に抜け出るのを防止する。
【００９９】
即ち本実施形態では、内ハウジング３２の軸方向の略中央部に設けた図１６に示す２つの掛止突起２９６と、図１８に示す水流入口部４０内部に挿入した抜止部材２９８及び内ハウジング３２に形成した被掛止部３０８との作用によって、確実に内ハウジング３２の図中右半分が外ハウジング３０から抜けるのを防止することができる。
【０１００】
以上のように本実施形態によれば、内ハウジング３２を金属に対して強度的に弱い樹脂等で形成した場合において、万一内ハウジング３２が流出用開口６０，７０の部分で軸方向に破断を生じることがあっても、接続部材２４８，２５０に対する掛止突起２９６の掛止作用で、破断した内ハウジング３２の図中右半分が外ハウジング３０から軸方向の右方に抜け、離脱するといったことを防止することができる。
【０１０１】
更に外ハウジング３０の右の端部側の水流入口部４０に挿入した抜止部材２９８と内ハウジング３２側の被掛止部３０８とによって、内ハウジング３２の軸方向の抜けをより一層確実に防止することができる。
【０１０２】
以上本発明の実施形態を詳述したがこれはあくまで一例示である。
例えば本発明は、内ハウジング３２側に、水側のクランク脚２６からの水を内ハウジング３２内部に流入させるための水流入用開口を設けて、その内ハウジング３２側の水流入用開口と、外ハウジング３０側の水流入用開口３８とを接続部材にて水密接続する一方、外ハウジング３０と内ハウジング３２との間の空間を湯側流路となして、湯側のクランク脚２８からの湯を、外ハウジング３０の湯流入用開口５２から湯側流路へと流入させ、更に内ハウジング３２に設けた開口を通じその内部に流入させるようになすことも可能である。
【０１０３】
この場合において、内ハウジング３２を外ハウジング３０に対して湯流入用開口の側から挿入するようになし、抜止部材２９８を湯流入口部５５の内部に挿入して組み付ける一方、内ハウジング３２に、抜止部材２９８に対応する位置において上記の被掛止部３０８を設けておくといったことも可能である。
また抜止部材の各掛止突起と内ハウジング３２側の被掛止部との掛止構造を、上記例示した形態と異なった他の様々な形態で構成することも可能である等、本発明はその趣旨を逸脱しない範囲において種々変更を加えた形態で構成可能である。
【符号の説明】
【０１０４】
１０  混合水栓
３０  外ハウジング
３２  内ハウジング
３６  水流路
３８  水流入用開口
４０  水流入口部
６０，６４，７０，７４  流出用開口
２４８，２５０  接続部材
２９４  ブリッジ部
２９６，３０２  掛止突起
２９８  抜止部材
３０８  被掛止部
【図１】
0005747278.tif 000002
【図２】
0005747278.tif 000003
【図３】
0005747278.tif 000004
【図４】
0005747278.tif 000005
【図５】
0005747278.tif 000006
【図６】
0005747278.tif 000007
【図７】
0005747278.tif 000008
【図８】
0005747278.tif 000009
【図９】
0005747278.tif 000010
【図１０】
0005747278.tif 000011
【図１１】
0005747278.tif 000012
【図１２】
0005747278.tif 000013
【図１３】
0005747278.tif 000014
【図１４】
0005747278.tif 000015
【図１５】
0005747278.tif 000016
【図１６】
0005747278.tif 000017
【図１７】
0005747278.tif 000018
【図１８】
0005747278.tif 000019